(57)【要約】【課題】防火性能が高くてスラットをきれいな円形に巻き上げることができる。【解決手段】シャッターは、シャッターケース内に設けた回転可能なシャフト６の外周面に、第一巻径スペーサ１９と第二巻径スペーサ２０とを取り付けた。第一及び第二巻径スペーサ１９，２０はアルミダイカスト製で、第一巻径スペーサ１９の凹部１９ａに第二巻径スペーサ２０の凸部２０ａを嵌合させて位置ズレを防止した。２組の巻径スペーサ１９，２０はシャフト６を介してドラムにねじ固定した。１組の巻径スペーサ１９，２０はシャフト６の穴に取り付けたはさみナットにシャフト６を介してねじ固定した。第二巻径スペーサ２０にはトップスラット８ａを固定し、第一巻径スペーサ１９から第二巻径スペーサ２０に階段状に厚みを大きくして、シャフト６でスラット８を巻き上げる際、螺旋状に巻かせる。【選択図】図４
2014173334.tif 000002
【特許請求の範囲】
【請求項１】
上下方向に複数接続してなるスラットを巻き上げ及び繰り出し可能に備えたシャッター装置であって、
シャフトと、前記シャフトの外周面に設けられていて分割された複数の分割スペーサとを備え、前記分割スペーサ同士は互いに連続または非連続に配置され、少なくとも１つの前記分割スペーサがスラットを連結したことを特徴とするシャッター装置。
【請求項２】
前記複数の分割スペーサの内、少なくとも1つは前記スラットと共に前記シャフトに固定されていることを特徴とする請求項1に記載のシャッター装置。
【請求項３】
前記複数の分割スペーサはそれぞれ略円弧状に形成されていて個別に前記シャフトに固定され、隣接する前記分割スペーサ同士の当接部は一方の前記分割スペーサの凹部に他方の前記分割スペーサの凸部が嵌合している請求項１または２に記載されたシャッター装置。
【請求項４】
前記複数の分割スペーサは、前記シャフトの周方向後端側の分割スペーサから上端部の前記スラットを連結した先端側の分割スペーサに向けて次第に厚みが増大するように変化して形成されている請求項１乃至３のいずれか１項に記載されたシャッター装置。
【請求項５】
前記シャフト内には、支軸上に間隔を開けて設けた複数のドラムの間に前記シャフトの回転によって付勢力を蓄えることが可能なスプリングが配設されたスプリングセットが設けられており、前記分割スペーサはシャフトを介して前記ドラムにねじで固定されている請求項１乃至４のいずれか１項に記載されたシャッター装置。
【請求項６】
前記分割スペーサはシャフトを介して該シャフトに形成した穴に取り付けたはさみナットにねじで固定されている請求項１乃至５のいずれか１項に記載されたシャッター装置。
【発明の詳細な説明】
【技術分野】
【０００１】
本発明は、建物の窓やドア等を設けた開口部の上部等に設けられたシャッター装置に関する。
【背景技術】
【０００２】
従来、建物の窓やドア等の開口部の上部に設けたシャッターとして、例えば特許文献１に記載されたものが知られている。このシャッターはシャッターケース内にモータ駆動される巻き上げドラムが設けられ、巻き上げドラムを設けたシャフトに複数のスラットが連設されたスラットカーテンの上端部が固定されている。そして、巻き上げドラムによってスラットカーテンが巻き取られたり繰り出されたりしてガイドレールに沿って上昇または下降する。
【０００３】
このようなシャッターは、スラットカーテンを巻き上げた際にきれいな渦巻状に巻き上げることが好ましいが、スラットはスチール製やアルミ製等の金属製であるため、きれいな渦巻状になりにくかった。そのため、近年では、樹脂製で切れ目を形成した略円筒状のスペーサをシャフトに取り付けて、スラットを巻き上げた際にこのスペーサをガイドとしてきれいな円形に巻き付けられるようにしたシャッターが提案されている。このスペーサはシャフトに装着する際、切れ目で円筒状の樹脂製スペーサを開いて弾性変形させてシャフトに装着するようにしていた。
【先行技術文献】
【特許文献】
【０００４】
【特許文献１】特開２００４−１０８０２５号公報
【発明の概要】
【発明が解決しようとする課題】
【０００５】
しかしながら、上述したシャッターは、火災等の際、樹脂製スペーサが燃えてしまうため十分な防火性能を発揮できないという欠点があった。
【０００６】
本発明は、このような課題に鑑みてなされたものであって、防火性能が高くてスラットをきれいな円形に巻き上げることができるシャッター装置を提供することを目的とする。
【課題を解決するための手段】
【０００７】
本発明によるシャッター装置は、上下方向に複数接続してなるスラットを巻き上げ及び繰り出し可能に備えたシャッター装置であって、シャフトと、シャフトの外周面に設けられていて分割された複数の分割スペーサとを備え、分割スペーサ同士は互いに連続または非連続に配置され、少なくとも１つの分割スペーサがスラットを連結したことを特徴とする。
本発明によるシャッター装置によれば、スペーサを複数の分割スペーサで構成したから、いずれかの分割スペーサに連結したスラットを複数の分割スペーサに沿ってきれいな円形に巻き上げると共にスムーズに繰り出すことができる。しかも、スペーサが金属製等で剛性が高くてもシャフトに容易に固定することができる。
なお、分割スペーサは金属製であることが防火性能を向上させる上で好ましい。
【０００８】
また、複数の分割スペーサの内、少なくとも1つはスラットと共にシャフトに固定されていることが好ましい。
少なくとも1つの分割スペーサをスラットと共にシャフトに固定することで組み立てが簡単になる。
【０００９】
また、複数の分割スペーサはそれぞれ略円弧状に形成されていて個別にシャフトに固定され、隣接する分割スペーサ同士の当接部は一方の分割スペーサの凹部に他方の分割スペーサの凸部が嵌合していることが好ましい。
分割スペーサ同士をシャフトに固定する際、当接部の一方に設けた凹部と他方に設けた凸部とを嵌合させて分割スペーサ同士の相互の位置ズレを防止でき、しかも凹部と凸部を進退させることで位置調整可能であり、両者の間にスラットが落ち込むことを防止できる。
【００１０】
また、複数の分割スペーサは、シャフトの周方向後端側の分割スペーサから上端部のスラットを連結した先端側のスペーサに向けて次第に厚みが増大するように変化して形成されていてもよい。
これによって、先端側のスペーサに上端部のスラットを連結してシャフトに巻きつける際、先端側の分割スペーサと後端側の分割スペーサとの間にスラットが落ち込んでもスラット形状のために段差ができにくく、スラットをスペーサ上に順次巻き付けていくとスペーサの厚みに沿ってきれいな円形の螺旋状を形成することで螺旋状に重ねたバランスのよい巻き上げ形状を得られるので、アンバランスな荷重がかかることなく巻き上げと繰り出しをスムーズに行うことができる。
【００１１】
また、シャフト内には、支軸上に間隔を開けて設けた複数のドラムの間にシャフトの回転によって付勢力を蓄えることが可能なスプリングが配設されたスプリングセットが設けられており、分割スペーサはシャフトを介してドラムにねじで固定されていることが好ましい。
シャフトを介してスプリングセットのドラムに分割スペーサを固定するため、支持強度が高く、スラットの巻き上げと繰り出しを安定してバランス良く行える。
また、分割スペーサはシャフトを介して該シャフトの穴に取り付けたはさみナットにねじで固定するようにしてもよく、この場合にはシャフトの任意の位置に分割スペーサを固定できて便利で使い勝手がよい。
【発明の効果】
【００１２】
本発明によるシャッター装置によれば、シャフトの外周面に設けたスペーサが複数に分割された分割スペーサであるため、スペーサが金属製等で剛性が高くてもシャフトに容易に固定することができて防火性能を向上できる。しかもスラットを複数の分割スペーサに沿ってきれいな円形に巻き上げると共にスムーズに繰り出すことができる。
【図面の簡単な説明】
【００１３】
【図１】本発明の実施形態によるシャッターを窓の上部に取り付けてなる縦断面図である。
【図２】図１に示すシャッターのシャッターケースと繰り出したスラットを示す要部斜視図である。
【図３】シャッターのシャフトとスプリングセットと第一及び第二巻径スペーサを示す分解斜視図である。
【図４】（ａ）シャフトの外周面に第一及び第二巻径スペーサを取り付けた状態におけるトップスラットとねじの分解図、（ｂ）は第一及び第二巻径スペーサの凹部と凸部の嵌合状態を示す（ａ）のＡ−Ａ線断面図である。
【図５】図４に示すシャフトにおける第一及び第二巻径スペーサの分解図である。
【図６】シャッターの下端部の巾木に取り付けるロック装置の分解斜視図である。
【図７】図６におけるシャッター下端部の巾木に裏板とロックカバーを取り付けた状態を説明する図である。
【発明を実施するための形態】
【００１４】
以下、本発明の実施形態によるシャッター装置について図１乃至図７を参照しながら説明する。
図１及び図２に示すように、本実施形態によるシャッター１は例えば電動シャッターであり、建物開口部、例えば窓２の四角形状の枠部３の上部にシャッターケース４が取り付けられている。枠部３は上枠と下枠、左右の縦枠５とが開口部に固定されている。シャッターケース４内にはシャフト６が回転可能に取り付けられ、シャフト６の回転によって例えばスチール製のスラット８を上下方向に連設したスラットカーテン９が巻き上げと繰り出しを行えるようになっている。枠部３の縦枠５には窓２の室外側にスラット８の昇降をガイドするガイドレール５ａが設けられている。
図２において、円筒状のシャフト６は両端の支軸がシャッターケース４のサイドカバー４ａに設けた軸受に支持されている。
【００１５】
次に、図３はシャフト６の構成を示すものであり、シャフト６内にはスプリングセット１０と電動モータ１１とが設けられている。
スプリングセット１０は支軸１２に所定間隔を開けてドラム１３ａ、１３ｂが相対回転可能に支持されており、これらドラム１３ａ、１３ｂの間にコイル状のスプリング１４が装着されている。スプリング１４はその一端がドラム１３ｂに連結され、他端が支軸１２に連結されている。そのため、ドラム１３ａ、１３ｂの回転でスプリング１４の付勢力を増大または減少できる。
【００１６】
スプリングセット１０をシャフト６内に装着した状態で、一方のドラム１３ａはシャフト６の端部に位置し、他方のドラム１３ｂは長手方向中央に位置する。
また、電動モータ１１は、シャフト６内で略円筒状に形成され、その両端部にはフランジ状のドラム１７ａ、１７ｂが形成されている。
【００１７】
そして、シャフト６の外周面には、スラット８を固定するための巻径スペーサ１５として、例えば二分割された第一巻径スペーサ１９と第二巻径スペーサ２０が３組設けられている。これらのうち２組の巻径スペーサ１９、２０は、シャフト６と共にスプリングセット１０のドラム１３ａ、１３ｂにねじ１６で共締めされている。これらのねじ１６は例えば略１８０度離れた対向する位置で第一、第二巻径スペーサ１９，２０とシャフト６の孔を通してドラム１３ａ、１３ｂのネジ穴にそれぞれねじ込まれている。
また、電動モータ１１の外側でシャフト６の略対向する位置に穴６ａ、６ａが形成され、これらの穴６ａ内に断面略Ｊ字形状のはさみナット２１がそれぞれ装着されている。そして、もう１組の巻径スペーサ１９，２０は、シャフト６の孔を通してはさみナット２１にねじ１６でそれぞれ締め込まれて固定され、共締めされている。第一及び第二巻径スペーサ１９，２０を固定するねじ１６は、シャフト６の穴６ａからずれた位置の孔に挿入されている。なお、上述した各第二巻径スペーサ２０は後述するトップスラット８ａと共にシャフト６に共締めされる。
そして、３組の第一及び第二巻径スペーサ１９，２０はシャフト６の長手方向の両端近傍と中央とに位置している。
【００１８】
次に、図４及び図５により、巻径スペーサ１５について説明する。
巻径スペーサ１５の第一、第二巻径スペーサ１９，２０は、例えば短冊形状で略半円状または円弧状に湾曲して形成されている。ここで、第一巻径スペーサ１９は周方向の一端部から第二巻径スペーサ２０方向の他端部に向けて階段状に厚みが増大するように形成され、他端部は断面コの字状の凹部１９ａが形成されている。第一巻径スペーサ１９の中間部にはねじ１６を挿通させてねじ頭部を陥没させるテーパを有する孔部１９ｂが形成されている。
【００１９】
第二巻径スペーサ２０は、第一巻径スペーサ１９側の一端部に凹部１９ａに嵌合可能な段付きの凸部２０ａが形成され、凹部１９ａと凸部２０ａの嵌合でシャフト６の長手方向の位置ズレを防止している。しかも、凹部１９ａと凸部２０ａの嵌合状態で、第一巻径スペーサ１９と第二巻径スペーサ２０とが周方向に位置調整可能であり、製造誤差や取付誤差等を吸収可能である。そして、凹部１９ａと凸部２０ａの間に若干の間隙ｋが生じてもスラット８が落ち込まない程度の幅になるように調整されている。
そして、第二巻径スペーサ２０において、凸部２０ａに続く領域が第一巻径スペーサ１９の他端部とほぼ同じ厚さの補強部２０ｂであり、その後、厚みが一段低下した後、順次厚みが略階段状に増大するように形成されている。
【００２０】
第二巻径スペーサ２０の他端部は最も厚みが大きく、スラットカーテン９における上端部のスラット８（以下、トップスラット８ａという）を第二巻径スペーサ２０とシャフト６と共締めするためのねじ１６を挿通させてねじ頭部を陥没させるテーパを有する孔部２０ｃが形成されている。また、その第一巻径スペーサ１９側の段差部には凹陥部２０ｄが形成されている。また、第二巻径スペーサ２０の他端部と第一巻径スペーサ１９の一端部との間には隙間２２が形成されている。    
【００２１】
一方、スラット８は、図４にトップスラット８ａの断面で示すように、幅方向の上端部に上部巻き部８ａａが形成され、下端部には湾曲部８ａｂと巻き方向が上部巻き部８ａａと逆向きに形成された下部巻き部８ａｃとが形成されている。そして、トップスラット８ａは、ねじ１６で第二巻径スペーサ２０に取り付けられた状態で、上部巻き部８ａａが凹陥部２０ｄに落ち込み、湾曲部８ａｂが第二巻径スペーサ２０の他端部を超えてシャフト６上の隙間２２に落ち込むことになるが、下部巻き部８ａｃが外側に突出する形状であるので、この上に二周目のスラットカーテン９が巻かれても段差は生じない。
そのため、スラットカーテン９が第二巻径スペーサ２０から第一巻径スペーサ１９に巻き上げられてもきれいな円形とされ、第一及び第二巻径スペーサ１９，２０がスラットカーテン９の巻き方向に次第に厚みが増大するため、きれいな螺旋状に形成されて巻かれることになる。
【００２２】
次に、図６及び図７により、スラットカーテン９の下端部の巾木２３に設けたシャッター１のロック装置２４の固定機構について説明する。シャッター１のスラットカーテン９を全閉した状態で、その下端部を枠部３の下枠にロックするロック装置２４は、室内側に取り付けられるため、従来、ロックカバーは見栄えを良くするために樹脂製であった。そして、樹脂製のロックカバーのロック片を弾性変形させることで嵌合してロック装置２４や下端部のスラット８に係止させていた。しかしながら、樹脂製のロックカバーは燃えやすく防火性が良くないため、本実施形態では金属製に改良した。
【００２３】
本実施形態によるスラットカーテン９の最下端のスラット８へのロック装置２４の取り付け機構を以下に具体的に説明する。
図６に示すように、スラットカーテン９の最下端のスラット８には例えばアルミ合金製等の巾木２３が連結されており、この最下端のスラット８には閉鎖状態でシャッター１をロックするロック装置２４が取り付けられている。
ロック装置２４は、枠部３の下枠に取り付けられたロック受け部の受けピン（図示せず）が挿入される切欠部２５と、切欠部２５に挿入された受けピンを係止可能なロック片２６と、ロック片２６の解除レバー２７と、を備えたロック機構２８を有しており、更にロック機構２８を覆って巾木２３に係止させるための金属製、例えばアルミダイカスト製やスチール製等のロックカバー２９を有している。
【００２４】
一方、図７に示すように、巾木２３は、その上下端部には屋内側に向けて略Ｕ字状に湾曲するフレーム部２３ａが形成されており、上下のフレーム部２３ａ、２３ａ間には巾木２３の室内側に裏板３１がスライド移動により挿入されて巾木２３の中間部に支持されている。裏板３１にはロックカバー２９を固定するためのネジ穴３１ａが形成されている。また、巾木２３の長手方向の両端部には、スラットカーテン９が上昇した際、枠部３の上枠に当接してそれ以上の上昇を阻止するためのストッパー３２が取り付けられている。
【００２５】
上述の構成を備えた巾木２３の組立方法を次に説明する。
まず、巾木２３の上下端部のフレーム部２３ａ、２３ａ間に一方の端部から裏板３１を室内側にスライド挿入して中間部に位置させ、更に巾木２３の両端にストッパー３２をねじ止め固定する。
そして、巾木２３の室内側の面に加熱膨張材を介してロック装置２４のロック機構２８を取り付け、ロック機構２８の側部に設けた挟持部２８ａで裏板３１を挟持させてねじ止めする。次いで、ロック機構２８を覆うようにロックカバー２９を取り付け、ロックカバー２９の一端をロック機構２８に引っ掛けて連結させる。更に、ロックカバー２９の他方の孔部２９ｂを通して、ねじ３５を裏板３１のネジ穴３１ａに螺合させる。
【００２６】
従って、アルミ合金性の巾木２３に対してアルミダイカスト製のロックカバー２９を取り付ける際、ねじ３５を螺合させるための裏板３１を室内側の面に取り付けたからロックカバー２９を裏板３１に固定できる。そのため、ロックカバー２９を樹脂製から金属製に変えても、巾木２３に孔部を設けてネジ穴を形成する必要がなく、室外からの見栄えが良く、しかも防火性能を向上させることができた。
【００２７】
本実施形態によるシャッター１は上述のように構成されており、電動モータ１１の駆動によってシャフト６が一体に回転すると巻径スペーサ１５に巻き上げられたスラットカーテン９が繰り出される。その際、繰り出されるスラットカーテン９の重量とスプリングセット１０のスプリング１４の付勢力による巻上げ力とが任意の位置でバランスする。また、電動モータ１１の逆回転によりスラットカーテン９がシャフト６に巻き上げられる場合も、スラットカーテン９の重量とスプリング１４の付勢力による巻上げ力が小さくなることで任意の位置でバランスする。
そのため、電動モータ１１によるスラットカーテン９の開閉操作が容易に行われる。
【００２８】
上述のように本実施形態によるシャッター１によれば、従来、樹脂製とされていた第一及び第二巻径スペーサ１９，２０やロック装置２４のロックカバー２９をアルミダイカスト製やスチール製等の金属で形成したことで、不燃性であり防火性能を向上できる。
しかも、スラット８を取り付ける巻径スペーサ１５である第一及び第二巻径スペーサ１９，２０も金属であるため、一体形成ではシャフト６への取り付けが困難であるが、二分割して構成したから、金属でもシャフト６への取り付けが容易である。
【００２９】
また、第一及び第二巻径スペーサ１９，２０は互いの当接部を凹部１９ａと凸部２０ａを嵌合可能に構成して互いに位置決めできるようにしたから、各１本のねじ１６で第一及び第二巻径スペーサ１９，２０をシャフト６に固定しても、両者の位置ズレを防ぐことができると共に、凹部１９ａと凸部２０ａを相互に進退させることで微細な位置調整を行えて取り付けが容易である。しかも、凹部１９ａと凸部２０ａとの間の間隙ｋにスラット８が落ち込むことを確実に防止できる。
また、３組の第一及び第二巻径スペーサ１９，２０はシャフト６の長手方向における中央と両端部にそれぞれ取り付けて、スラットカーテン９のトップスラット８ａをねじ１６で固定したから、後続の各スラット８を第一及び第二巻径スペーサ１９，２０上でバランス良く配置させながら、巻き上げと繰り出しを行える。
【００３０】
しかも、第一及び第二巻径スペーサ１９，２０はトップスラット８ａの取り付け部に向けて略階段状に次第に厚みを増大させて構成し、特にトップスラット８ａを取り付けた第二巻径スペーサ２０では、トップスラット８ａの上部巻き部８ａａを凹陥部２０ｄに落ち込ませて位置決めすることで湾曲部８ａｂが第二巻径スペーサ２０の他端部を越えた隙間２２に落ち込み下部巻き部８ａｃがシャフト６の径方向外側に突出するように位置させて第一巻径スペーサ１９の一端部につなげることができるから、１周目のスラット８を段差を生じることなくきれいな円形に巻き上げることができる。
更に、その上に巻回される２周目及びそれ以降のスラット８も段差ができることなく、巻径スペーサ１５の厚みに従ってきれいな円形の渦巻状になるように巻き取ることができる。そのため、スラットカーテン９をバランス良く巻き上げることができて、スラットカーテン９の巻き上げと繰り出しをスムーズに行える。
【００３１】
また、第一及び第二巻径スペーサ１９，２０について段付き形状で厚みを変化させたため、１周目に巻き付けられるスラット８の上下部巻き部８ａａ，８ａｃや湾曲部８ａｂが各巻径スペーサ１９，２０の段部や隙間２２に当接すると、巻き上げられたスラット８のずれを防止することができる。
また、ロック機構２８のスラットカーテン下端のスラット８への取り付け機構においても、ロックカバー２９を金属製にしても、巾木２３の室内側に裏板３１を取り付けたから、ロック機構２８を挟んでロックカバー２９と裏板３１とをねじ３５でねじ止めできるため、巾木２３にねじ螺合用の孔を開ける必要がなく、室外からの見栄えが良い。
【００３２】
なお、本発明によるシャッターは、上述した実施形態に限定されるものではなく、本発明の要旨を逸脱しない範囲で適宜の変更や置換等が可能である。
例えば、上述した実施形態では、第一及び第二巻径スペーサ１９，２０とロックカバー２９をアルミダイカストやスチール等で形成したが、その他の金属、例えば亜鉛ダイカスト等の不燃性の材質で製作してもよい。
【００３３】
また、上述の実施形態では、巻径スペーサ１５を第一巻径スペーサ１９及び第二巻径スペーサ２０の二分割にしてシャフト６の外周面の全周より短い長さに形成したが、本発明はこのような構成に限定されない。例えば巻径スペーサ１５は３分割や４分割以上で構成してもよい。
本発明では、第一巻径スペーサ１９及び第二巻径スペーサ２０を含む分割された各スペーサは分割スペーサを構成するものとし、すべての分割スペーサを含むものをスペーサと規定する。
そして、各分割スペーサの当接部毎に凹部１９ａと凸部２０ａとで嵌合して接続させることが好ましく、分割スペーサ毎に１つのねじ１６等の固定部材で固定することが好ましい。そして、２つの分割スペーサの当接部に関し、いずれに凹部１９ａまたは凸部２０ａを設けてもよい。なお、分割スペーサ同士は凹部１９ａと凸部２０ａによる連続した固定連結に限定されることなく、非連続または非接触に固定してもよい。
ただし、スペーサを３分割以上の多数の分割スペーサで構成すると、各分割スペーサを止めるねじ１６の数が増大し、シャフト６の内側でねじ１６を螺合するドラムやはさみナット２１の数が増大するため、分割数は少ない方が好ましい。
【００３４】
また、第一及び第二巻径スペーサ１９，２０について、一端部から後端部に向けて段付きで次第に厚みが大きくなるように構成したが、本発明はこのような構成に限定されるものではなく、スロープ状になだらかに厚みが変化するように構成してもよい。
また、第一及び第二巻径スペーサ１９，２０をシャフト６の長手方向に３組取り付けたが、本発明はこれに限定されるものではなく、４組以上でもよいし、スラット８の長手方向の長さが短いものであれば２組以下でもよい。
【００３５】
なお、本発明によるシャッター装置について、上述した実施形態によるシャッター１では、電動モータ１１でスラットカーテン９を巻き上げ及び繰り出しを行う電動式のシャッター１について説明したが、本発明は電動式のシャッター１に限定されるものではなく、手動でスラットカーテン９を巻き上げ及び繰り出しする手動式のシャッターにも適用できる。
【符号の説明】
【００３６】
１  シャッター
２  窓
３  枠部
５  縦枠
６  シャフト
８  スラット
８ａ  トップスラット
９  スラットカーテン
１０  スプリングセット
１１  電動モータ
１３ａ、１３ｂ、１７ａ、１７ｂ  ドラム
１４  スプリング
１６，３４，３５  ねじ
１９  第一巻径スペーサ
１９ａ  凹部
２０  第二巻径スペーサ
２０ａ  凸部
２２  隙間
２３  巾木
２４  ロック装置
２８  ロック機構
２９  ロックカバー
３１  裏板
ｋ  間隙
【図１】
2014173334.tif 000003
【図２】
2014173334.tif 000004
【図３】
2014173334.tif 000005
【図４】
2014173334.tif 000006
【図５】
2014173334.tif 000007
【図６】
2014173334.tif 000008
【図７】
2014173334.tif 000009